(57)【要約】【課題】着用者の外見において、男性用軽失禁パッドを着用していることを判りにくくする。【解決手段】男性用軽失禁パッド１は、透液性のトップシート２１と、撥水性または不透液性のバックシート２３と、トップシート２１とバックシート２３との間に配置される吸収コア２２とを備える。吸収コア２２が、上層シート２２１と、上層シート２２１とバックシート２３との間に配置される下層シート２２２と、高吸収性材料２２４により構成される層であり、上層シート２２１と下層シート２２２との間にて両者に接触する高吸収性材料層２２３とを備える。これにより、吸収コア２２の薄型化を図ることができ、着用者の外見において、男性用軽失禁パッド１を着用していることを判りにくくすることができる。【選択図】図３
2018114004.tif 000002
【特許請求の範囲】
【請求項１】
男性用軽失禁パッドであって、
透液性のトップシートと、
撥水性または不透液性のバックシートと、
前記トップシートと前記バックシートとの間に配置される吸収コアと、
を備え、
前記吸収コアが、
上層シートと、
前記上層シートと前記バックシートとの間に配置される下層シートと、
高吸収性材料により構成される層であり、前記上層シートと前記下層シートとの間にて両者に接触する高吸収性材料層と、
を備えることを特徴とする男性用軽失禁パッド。
【請求項２】
請求項１に記載の男性用軽失禁パッドであって、
前記トップシートおよび前記バックシートにより形成されるシート積層体が所定の長手方向に延びており、
着用者が前記男性用軽失禁パッドを着用した状態において、前記長手方向における前記シート積層体の一方の端部が前方端部として前記着用者の下腹部に接触し、前記シート積層体の他方の端部が股下端部として前記着用者の股間部に対向し、
前記長手方向に垂直な幅方向における前記股下端部の幅が、前記前方端部の幅よりも小さいことを特徴とする男性用軽失禁パッド。
【請求項３】
請求項２に記載の男性用軽失禁パッドであって、
前記吸収コアの外形が矩形であり、
前記前方端部の両側部が、前記吸収コアの不存在領域であることを特徴とする男性用軽失禁パッド。
【請求項４】
請求項３に記載の男性用軽失禁パッドであって、
前記下層シートと前記バックシートとの間に配置され、前記吸収コアを前記バックシート側から覆う吸水紙をさらに備え、
前記前方端部の前記両側部における前記吸収コアの前記不存在領域に、前記吸水紙の一部が重なることを特徴とする男性用軽失禁パッド。
【請求項５】
請求項４に記載の男性用軽失禁パッドであって、
前記幅方向における前記シート積層体の幅が、前記前方端部から前記股下端部に向かって漸次減少し、
前記吸水紙が、前記前方端部から前記股下端部に亘って前記長手方向に延び、
前記股下端部における前記吸水紙の幅が、前記前方端部における前記吸水紙の幅よりも小さく、
前記シート積層体の各側部における側縁と前記吸水紙の側縁との間を非吸収性領域として、前記長手方向において前記前方端部と前記股下端部との間の所定位置にて前記非吸収性領域の幅が最大となることを特徴とする男性用軽失禁パッド。
【請求項６】
請求項５に記載の男性用軽失禁パッドであって、
前記シート積層体の幅が最大となる前記長手方向の位置から前記所定位置に向かって、前記非吸収性領域の幅が漸次増大することを特徴とする男性用軽失禁パッド。
【請求項７】
請求項２ないし６のいずれか１つに記載の男性用軽失禁パッドであって、
前記男性用軽失禁パッドが、前記長手方向に垂直な２つの折曲線で前記トップシート側に折り曲げられた状態で包装袋に収容され、
着用者が前記男性用軽失禁パッドを着用した状態において、前記長手方向における前記シート積層体の前記前方端部側の部位が、前方部として前記着用者の男性器に接触し、
前記２つの折曲線の一方が前記前方部に設けられることを特徴とする男性用軽失禁パッド。
【発明の詳細な説明】
【技術分野】
【０００１】
本発明は、男性用軽失禁パッドに関する。
【背景技術】
【０００２】
従来、男性用の軽失禁パッドが用いられている。当該軽失禁パッドは、着用者が着用する下着等の内側に取り付けられる。例えば、特許文献１では、着用者の下腹部に接触する端部の幅が、着用者の股間部に対向する端部の幅よりも大きい男性用の軽失禁パッドが開示されている。特許文献１の軽失禁パッドでは、ほぼ全体に亘って吸収コアが設けられ、当該吸収コアは、フラッフパルプを含む。
【先行技術文献】
【特許文献】
【０００３】
【特許文献１】特開２０１５−５８３２７号公報
【発明の概要】
【発明が解決しようとする課題】
【０００４】
ところで、特許文献１の軽失禁パッドでは、吸収コアがフラッフパルプを含むため、吸収コアが嵩高く（厚く）なる。したがって、衣類を身につけた状態であっても軽失禁パッドの着用者の外見において、軽失禁パッドを着用していることが判りやすくなってしまう。
【０００５】
本発明は上記課題に鑑みなされたものであり、着用者の外見において、軽失禁パッドを着用していることを判りにくくすることを目的としている。
【課題を解決するための手段】
【０００６】
請求項１に記載の発明は、男性用軽失禁パッドであって、透液性のトップシートと、撥水性または不透液性のバックシートと、前記トップシートと前記バックシートとの間に配置される吸収コアとを備え、前記吸収コアが、上層シートと、前記上層シートと前記バックシートとの間に配置される下層シートと、高吸収性材料により構成される層であり、前記上層シートと前記下層シートとの間にて両者に接触する高吸収性材料層とを備える。
【０００７】
請求項２に記載の発明は、請求項１に記載の男性用軽失禁パッドであって、前記トップシートおよび前記バックシートにより形成されるシート積層体が所定の長手方向に延びており、着用者が前記男性用軽失禁パッドを着用した状態において、前記長手方向における前記シート積層体の一方の端部が前方端部として前記着用者の下腹部に接触し、前記シート積層体の他方の端部が股下端部として前記着用者の股間部に対向し、前記長手方向に垂直な幅方向における前記股下端部の幅が、前記前方端部の幅よりも小さい。
【０００８】
請求項３に記載の発明は、請求項２に記載の男性用軽失禁パッドであって、前記吸収コアの外形が矩形であり、前記前方端部の両側部が、前記吸収コアの不存在領域である。
【０００９】
請求項４に記載の発明は、請求項３に記載の男性用軽失禁パッドであって、前記下層シートと前記バックシートとの間に配置され、前記吸収コアを前記バックシート側から覆う吸水紙をさらに備え、前記前方端部の前記両側部における前記吸収コアの前記不存在領域に、前記吸水紙の一部が重なる。
【００１０】
請求項５に記載の発明は、請求項４に記載の男性用軽失禁パッドであって、前記幅方向における前記シート積層体の幅が、前記前方端部から前記股下端部に向かって漸次減少し、前記吸水紙が、前記前方端部から前記股下端部に亘って前記長手方向に延び、前記股下端部における前記吸水紙の幅が、前記前方端部における前記吸水紙の幅よりも小さく、前記シート積層体の各側部における側縁と前記吸水紙の側縁との間を非吸収性領域として、前記長手方向において前記前方端部と前記股下端部との間の所定位置にて前記非吸収性領域の幅が最大となる。
【００１１】
請求項６に記載の発明は、請求項５に記載の男性用軽失禁パッドであって、前記シート積層体の幅が最大となる前記長手方向の位置から前記所定位置に向かって、前記非吸収性領域の幅が漸次増大する。
【００１２】
請求項７に記載の発明は、請求項２ないし６のいずれか１つに記載の男性用軽失禁パッドであって、前記男性用軽失禁パッドが、前記長手方向に垂直な２つの折曲線で前記トップシート側に折り曲げられた状態で包装袋に収容され、着用者が前記男性用軽失禁パッドを着用した状態において、前記長手方向における前記シート積層体の前記前方端部側の部位が、前方部として前記着用者の男性器に接触し、前記２つの折曲線の一方が前記前方部に設けられる。
【発明の効果】
【００１３】
本発明によれば、着用者の外見において、男性用軽失禁パッドを着用していることを判りにくくすることができる。
【図面の簡単な説明】
【００１４】
【図１】男性用軽失禁パッドを示す平面図である。
【図２】男性用軽失禁パッドを示す断面図である。
【図３】男性用軽失禁パッドを示す断面図である。
【図４】吸収シートを示す平面図である。
【図５】折り畳まれた状態の男性用軽失禁パッドを示す図である。
【図６】男性用軽失禁パッドの他の例を示す図である。
【図７】男性用軽失禁パッドの他の例を示す図である。
【発明を実施するための形態】
【００１５】
図１は、本発明の一の実施の形態に係る男性用軽失禁パッド１を広げた状態で示す平面図である。男性用軽失禁パッド１（以下、単に「軽失禁パッド１」という。）は、着用者が着用する下着の内側（すなわち、着用者側）に取り付けられて着用者からの尿等の排泄物を受ける吸収性物品である。男性用軽失禁パッド１は、着用者が着用する使い捨ておむつ等の内側に取り付けられてもよい。図１では、着用時に着用者に接触する側の面を手前にして軽失禁パッド１を描いている。
【００１６】
図２および図３はそれぞれ、軽失禁パッド１を図１中に示すII−IIの位置およびIII−IIIの位置で長手方向（すなわち、図１中における上下方向）に垂直な面で切断した断面図である。図２および図３では、図示の都合上、軽失禁パッド１の各構成を厚さ方向に離して描いている。
【００１７】
図１ないし図３に示すように、軽失禁パッド１は、長手方向に延びるシート状の本体部２と、本体部２の両側部（すなわち、長手方向に垂直な幅方向の両側）上に配置される一対のサイドシート３とを備える。本体部２は、透液性のトップシート２１と、撥水性または不透液性のバックシート２３と、シート状の吸収コア２２と、吸水紙２４とを備える。吸収コア２２は、トップシート２１とバックシート２３との間に配置される。吸水紙２４は、吸収コア２２とバックシート２３との間に配置される。図１では、図の理解を容易にするために、吸収コア２２の輪郭を示す破線を、吸水紙２４の輪郭を示す破線よりも太くしている。軽失禁パッド１を平面視した図１では、吸水紙２４の全体が本体部２の外周縁よりも内側に位置し、吸収コア２２の全体が吸水紙２４の外周縁よりも内側に位置する。
【００１８】
図２および図３に示すように、トップシート２１は、吸収コア２２の着用者側の主面を覆う。吸水紙２４は、吸収コア２２のもう一方の主面、すなわち、着用者とは反対側の主面を覆う。バックシート２３は、吸水紙２４における吸収コア２２とは反対側の面、すなわち、着用者とは反対側の面を覆う。トップシート２１は、吸収コア２２の周りにおいてホットメルト接着剤等により吸水紙２４に接合される。
【００１９】
トップシート２１は透液性のシート部材であり、着用者からの排泄物の水分を速やかに捕捉して吸収コア２２へと移動させる。吸収コア２２は、トップシート２１を透過した水分を吸収して迅速に固定する。吸水紙２４は、吸収コア２２を通過した水分を吸収する。バックシート２３は、バックシート２３に到達した水分が、本体部２の外側にしみ出すことを防止する。吸収コア２２および吸水紙２４の詳細については後述する。
【００２０】
軽失禁パッド１では、トップシート２１、サイドシート３およびバックシート２３により、本体部２の外形を規定するシート積層体２０が形成される。シート積層体２０は、本体部２と同様に長手方向に延びた形状である。後述するように、着用者が軽失禁パッド１を着用した状態では、長手方向におけるシート積層体２０の一方の端部（図１では上側の端部）が、前方端部１１として着用者の下腹部に接触する。また、シート積層体２０の他方の端部（図１では下側の端部）が、股下端部１２として着用者の股間部に対向する。実際には、長手方向におけるシート積層体２０の前方端部１１側の部位、すなわち、シート積層体２０を長手方向におよそ二等分した場合における前方端部１１を含む部分が、着用者の男性器に接触する前方部１１０となる。なお、軽失禁パッド１の構造によっては、サイドシート３が省略され、シート積層体２０がトップシート２１およびバックシート２３により形成されてもよい。
【００２１】
幅方向におけるシート積層体２０の幅は長手方向に沿って変化し、前方端部１１は、シート積層体２０の幅が最大となる部位を含む。シート積層体２０の幅は、前方端部１１から股下端部１２に向かって漸次減少する。例えば、前方端部１１と股下端部１２との間におけるシート積層体２０の各側縁は直線状であり、シート積層体２０の幅は、前方端部１１から股下端部１２に向かって線形に減少する。このように、シート積層体２０では、幅方向における股下端部１２の幅が、前方端部１１の幅（最大幅）よりも小さくなる。シート積層体２０の形状は、略三角形と捉えることも可能である。
【００２２】
図１ないし図３に示すように、一対のサイドシート３は、本体部２の両側部上において長手方向における本体部２のおよそ全長に亘る。各サイドシート３は、サイドシート本体３１と、側壁部弾性部材３２とを備える。図２および図３に示すように、サイドシート本体３１は、長手方向の全長に亘る折曲線３９にて折り曲げられる。サイドシート本体３１のうち、折曲線３９の一方側の部位を「側壁固定部３３」といい、折曲線３９の他方側の部位を「側壁部３４」という。
【００２３】
側壁固定部３３は、本体部２の側部上において長手方向のおよそ全長に亘って配置され、本体部２の着用者側の面（トップシート２１、吸水紙２４、バックシート２３）にホットメルト接着剤等により接合される。図１に示すように、側壁固定部３３における折曲線３９以外の縁は、本体部２の縁（シート積層体２０の縁）と重なっており、本体部２の側部の全体が側壁固定部３３により覆われる。すなわち、軽失禁パッド１の側部における着用者側の表面は、サイドシート本体３１の面である。
【００２４】
側壁部３４は、折曲線３９にて側壁固定部３３から連続する部位であり、本体部２の当該側部上において本体部２の長手方向のおよそ全長に亘って延びる。長手方向における側壁部３４の各端部３４１（以下、「側壁端部３４１」という。）では、図２に示すように、側壁部３４が２つ折りにされて側壁固定部３３に重ねられる。側壁部３４の互いに重なる部位は、ホットメルト接着剤等により互いに接合され、これらの部位は、ホットメルト接着剤等により側壁固定部３３に接合される。図１では、各側壁端部３４１に平行斜線を付している。２つの側壁端部３４１は、シート積層体２０の前方端部１１および股下端部１２にそれぞれ重なる。
【００２５】
図１および図３に示すように、側壁部３４の先端部（自由端）には、長手方向に延びる側壁部弾性部材３２がホットメルト接着剤等により伸張状態で接合される。側壁部弾性部材３２が収縮することにより、２つの側壁端部３４１の間において、側壁部３４が本体部２から着用者に向かってＺ字状に起立して（側壁部３４の先端部が本体部２から着用者側に離間して）、立体ギャザーとなる。一対の立体ギャザーにより、軽失禁パッド１の両側部からの尿の漏出が抑制される。
【００２６】
上述のホットメルト接着剤としては、ポリオレフィン系、ゴム系、酢酸ビニル系等のものが利用される。トップシート２１と吸水紙２４およびバックシート２３との接合、サイドシート３と本体部２との接合は、他の接合手法（例えば、熱融着接合や超音波接合等）により行われてもよい。ホットメルト接着剤を用いて接合を行う他の部分において同様である。
【００２７】
トップシート２１としては、例えば、表面を界面活性剤により親水処理した疎水性繊維（ポリプロピレン、ポリエチレン、ポリエステル、ポリアミド、ナイロン等）にて形成された透液性の不織布が利用される。当該不織布は、例えば、ポイントボンド不織布やエアスルー不織布、スパンボンド不織布である。なお、トップシート２１として、セルロースやレーヨン、コットン等の親水性繊維により形成された不織布（例えば、スパンレース不織布）が利用されてもよい。
【００２８】
バックシート２３としては、疎水性繊維にて形成された撥水性または不透液性の不織布（例えば、スパンボンド不織布やメルトブロー不織布、ＳＭＳ（スパンボンド・メルトブロー・スパンボンド）不織布）や、撥水性または不透液性のプラスチックフィルム、あるいは、いずれかの不織布とプラスチックフィルムとが積層された積層シートが利用される。軽失禁パッド１のムレを防止して着用者の快適性を向上するという観点からは、バックシート２３にて利用されるプラスチックフィルムは、透湿性（通気性）を有するものが好ましい。
【００２９】
サイドシート本体３１としては、疎水性繊維にて形成された撥水性または不透液性の不織布（例えば、スパンボンド不織布やメルトブロー不織布、ＳＭＳ不織布等）が利用される。側壁部弾性部材３２としては、例えば、ポリウレタン糸、帯状のポリウレタンフィルム、糸状または帯状の天然ゴム等が利用され、図１に示す軽失禁パッド１では、ポリウレタン糸が利用される。
【００３０】
次に、吸収コア２２および吸水紙２４の詳細について説明する。図２および図３に示すように、吸収コア２２は、複数の吸収シート２２０を備える。軽失禁パッド１の一例では、同じ構造の２つの吸収シート２２０が設けられ、厚さ方向（図２および図３の上下方向）に正確に重ねられる。後述するように、各吸収シート２２０の外形は矩形である。図１のように軽失禁パッド１を平面視した場合に、吸収コア２２の外形は、吸収シート２２０の外形と一致しており、矩形である。以下の説明では、図２および図３に示す２つの吸収シート２２０を区別する場合に、トップシート２１と接触する吸収シート２２０を「上側吸収シート２２０」と呼び、吸水紙２４と接触する吸収シート２２０を「下側吸収シート２２０」と呼ぶ。吸収コア２２では、１つの吸収シート２２０のみが設けられてもよい。
【００３１】
各吸収シート２２０は、透液性の上層シート２２１と、透液性の下層シート２２２と、高吸収性材料層２２３とを備える。上層シート２２１は、トップシート２１と下層シート２２２との間に配置される。下層シート２２２は、上層シート２２１とバックシート２３との間に配置される。高吸収性材料層２２３は、高吸収性材料２２４により構成される層である。図２および図３では、高吸収性材料２２４を白い丸にて抽象的に示す。高吸収性材料層２２３は、上層シート２２１と下層シート２２２との間に配置され、ホットメルト接着剤等により一方または両方に固定される。高吸収性材料層２２３は、上層シート２２１と下層シート２２２との間にて両者に接触する（接着剤を介して接触する場合を含む。）。上層シート２２１および下層シート２２２は、高吸収性材料２２４が存在しない領域において互いに重ねられて接合される。好ましい吸収シート２２０では、上層シート２２１と下層シート２２２との間には、接着剤を除き、原則として高吸収性材料２２４のみが存在する。
【００３２】
図４は、吸収シート２２０を示す平面図である。各吸収シート２２０の外形は、長手方向に長い矩形（長方形）である。上層シート２２１および下層シート２２２は、同様に長手方向に延びた形状である。吸収シート２２０では、複数の材料存在領域２２５と、複数の材料不存在領域２２６とが設けられる。各材料存在領域２２５では、高吸収性材料２２４が上層シート２２１と下層シート２２２との間に配置される。すなわち、複数の材料存在領域２２５には、高吸収性材料２２４が固定される。図４では、材料存在領域２２５に平行斜線を付している。
【００３３】
複数の材料存在領域２２５は、それぞれが長手方向に略平行に延びる帯状であり、幅方向に互いに離間しつつ配列される。すなわち、吸収シート２２０では、長手方向に延びるストライプ状に配置された複数の材料存在領域２２５が設けられる。図４の例では、複数の材料存在領域２２５の幅（幅方向における幅）は、互いに等しい。例えば、複数の材料存在領域２２５における高吸収性材料２２４の坪量（目付）は、およそ等しい。
【００３４】
複数の材料不存在領域２２６は、吸収シート２２０における、複数の材料存在領域２２５を除く領域である。複数の材料不存在領域２２６は、それぞれが長手方向に沿って延びる帯状である。図４の例では、幅方向における各材料不存在領域２２６の幅は、材料存在領域２２５の幅よりも小さい。また、複数の材料不存在領域２２６の幅は、互いに等しい。複数の材料不存在領域２２６と複数の材料存在領域２２５とは、幅方向に交互に配列される。
【００３５】
各材料不存在領域２２６では、上層シート２２１と下層シート２２２との間に、高吸収性材料が存在しない。材料不存在領域２２６では、上層シート２２１と下層シート２２２とが、熱融着接合や、エンボス加工による接合等、接着剤を用いない接合手法により互いに接合されることが好ましい。材料不存在領域２２６では、上層シート２２１と下層シート２２２とが部分的に非接合状態であってもよい。材料不存在領域２２６が、高吸収性材料を僅かに含む領域、すなわち、材料存在領域２２５よりも高吸収性材料２２４の密度が低い領域（材料低密度領域）であってもよい。
【００３６】
吸収シート２２０の上層シート２２１および下層シート２２２としては、例えば、トップシート２１と同様に、表面を界面活性剤により親水処理した疎水性繊維（ポリプロピレン、ポリエチレン、ポリエステル、ポリアミド、ナイロン等）にて形成された透液性の不織布が利用される。当該不織布は、例えば、ポイントボンド不織布やエアスルー不織布、スパンボンド不織布である。また、上層シート２２１および下層シート２２２として、セルロースやレーヨン、コットン等の親水性繊維により形成された不織布（例えば、スパンレース不織布）が利用されてもよい。上層シート２２１および下層シート２２２として、ティッシュや複数の開口を有するプラスチックフィルム等が利用されてもよい。
【００３７】
高吸収性材料２２４としては、例えば、粒状の高吸収性ポリマー（ＳＡＰ（Super Absorbent Polymer））、または、繊維状の高吸収性ファイバー（ＳＡＦ（Super Absorbent Fiber））が利用される。高吸収性材料２２４は、原則、ポリマーにより形成され、パルプは含まれない。
【００３８】
好ましい吸収コア２２は、１つまたは複数の吸収シート２２０のみを含み、パルプ繊維等が集合した吸水用の繊維集合層を含まない。すなわち、好ましい軽失禁パッド１では、パルプレスの吸収コア２２（いわゆる、ポリマーシート）が用いられる。このような吸収コア２２の厚さは、例えば、５ミリメートル（ｍｍ）以下であり、１ｍｍ以上である。なお、上側吸収シート２２０および下側吸収シート２２０では、互いに構造が相違してもよい。例えば、幅方向における複数の材料存在領域２２５の位置が、上側吸収シート２２０と下側吸収シート２２０とで相違してもよい。
【００３９】
ここで、図１のように軽失禁パッド１を平面視した場合に、シート積層体２０における吸収コア２２の周囲の領域を、「吸収コア２２の不存在領域」または「コア不存在領域」と呼ぶ。既述のように、吸収コア２２は矩形であり、前方端部１１は、シート積層体２０の幅が最大となる部位を含む。したがって、前方端部１１の両側部には、比較的大きなコア不存在領域が存在する。
【００４０】
吸水紙２４は、下側吸収シート２２０の下層シート２２２とバックシート２３との間に配置され、吸収コア２２をバックシート２３側から覆う（図２および図３参照）。図１に示すように、吸水紙２４は、前方端部１１から股下端部１２に亘って長手方向に延び、長手方向における吸水紙２４の長さは、吸収コア２２の長さよりも大きい。幅方向における吸水紙２４の幅は、長手方向のいずれの位置においても吸収コア２２の幅よりも大きく、吸収コア２２の全体が、吸水紙２４によりバックシート２３側から覆われる。
【００４１】
吸水紙２４は、幅方向における幅が一定となる部位２４１と、当該部位２４１よりも幅が大きい部位２４２とを備える。以下、これらの部位２４１，２４２をそれぞれ「幅狭部２４１」および「幅広部２４２」という。幅広部２４２は、シート積層体２０の前方端部１１に重なり、幅狭部２４１は、股下端部１２に重なる。すなわち、股下端部１２における吸水紙２４の幅は、前方端部１１における吸水紙２４の幅よりも小さい。吸水紙２４の幅は、前方端部１１において最大となる。既述のように、前方端部１１の両側部には、比較的大きなコア不存在領域が位置し、当該コア不存在領域に、吸水紙２４の幅広部２４２が重なる。
【００４２】
吸水紙２４の幅が最大となる長手方向の位置は、シート積層体２０の幅が最大となる位置とほぼ同じである。既述のように、シート積層体２０の幅は、前方端部１１から股下端部１２に向かって線形に減少する。吸水紙２４では、幅が最大となる長手方向の位置から幅狭部２４１に向かって、幅広部２４２の幅が漸次減少し、その減少量は、シート積層体２０の幅の減少量よりも大きい。したがって、幅広部２４２における幅狭部２４１側の部位では、長手方向において幅狭部２４１に近づくに従って、その側縁とシート積層体２０の側縁との間の距離が漸次増大する。
【００４３】
ここで、シート積層体２０の各側部において、シート積層体２０の側縁と吸水紙２４の側縁との間の領域２０１は、吸収コア２２および吸水紙２４の双方が配置されないため、非吸収性領域として捉えることができる。また、非吸収性領域２０１は、トップシート２１も配置されず、サイドシート３およびバックシート２３の積層体からなることが好ましい。幅方向における非吸収性領域２０１の幅は、シート積層体２０および吸水紙２４の幅が最大となる長手方向の位置から、幅広部２４２と幅狭部２４１との境界位置に向かって漸次増大し、当該境界位置において最大となる。非吸収性領域２０１の幅が最大となる位置における幅の大きさは、１５ｍｍ以上であれば摘まみ易くて好ましい。
【００４４】
吸水紙２４は、例えば、パルプ繊維等により形成される。吸水紙２４の坪量は、トップシート２１およびバックシート２３を構成する不織布の坪量よりも大きい。吸水紙２４の坪量は、例えば２０ｇ／ｍ２以上かつ４５ｇ／ｍ２以下であり、好ましくは３０ｇ／ｍ２以上かつ４０ｇ／ｍ２以下である。２０ｇ／ｍ２以上であれば吸水量と剛性を得ることができ、一方で、４５ｇ／ｍ２以下であれば吸水紙２４からのトップシート２１への尿のウェットバックを抑えることができる。吸水紙２４の厚さは、吸収コア２２の厚さよりも小さい。
【００４５】
図５は、折り畳まれた状態の軽失禁パッド１を示す図である。軽失禁パッド１は、折り畳まれた状態で所定の包装袋９１（図５中に破線にて示す。）に収容される。軽失禁パッド１を折り畳む際には、長手方向に垂直な２つの折曲線Ｆ１，Ｆ２（図１中に一点鎖線にて示す。）で、軽失禁パッド１がトップシート２１側に、すなわち、トップシート２１が内側となるように折り曲げられる。一方の折曲線Ｆ１は、前方部１１０において幅広部２４２と幅狭部２４１との境界位置近傍に設けられ、他方の折曲線Ｆ２は、折曲線Ｆ１から股下端部１２側に向かって離れた位置に設けられる。
【００４６】
好ましい軽失禁パッド１では、バックシート２３におけるトップシート２１とは反対側の面に、粘着剤が塗布されており、バックシート２３の当該面には、バックシート２３のおよそ全体を覆う帯状のフィルムが貼付される。軽失禁パッド１は、当該フィルムが貼付された状態で２つの折曲線Ｆ１，Ｆ２でトップシート２１側に折り畳まれる。軽失禁パッド１と共に３つ折りされたフィルムの各側部を、所定の接合手法にて接合することにより、当該フィルムにより形成される包装袋９１内に、軽失禁パッド１が収容される。なお、予め袋状に形成された包装袋９１内に、フィルムと共に折り畳まれた軽失禁パッド１が収容されてもよい。軽失禁パッド１は、粘着テープ（両面粘着テープ）のテープ片等により、下着に止着可能とされてもよい。
【００４７】
着用者が軽失禁パッド１を着用する際には、包装袋９１から軽失禁パッド１が取り出され、バックシート２３に貼付されたフィルムが剥がされる。続いて、着用者が着用する下着を下方（つま先側）にずらした状態で、軽失禁パッド１が、バックシート２３の粘着剤により、当該下着の内面に取り付けられる。このとき、下着において、着用時に着用者の男性器に対向する位置に、前方部１１０が配置され、着用者の股間部に対向する位置に、股下端部１２が配置される。そして、着用者に対して当該下着を上方に引き上げることにより、着用者において軽失禁パッド１が着用される（すなわち、軽失禁パッド１を取り付けた下着が着用される。）。
【００４８】
軽失禁パッド１の吸収コア２２では、上層シート２２１と下層シート２２２との間において、高吸収性材料２２４により構成される高吸収性材料層２２３が設けられ、パルプ繊維等が集合した吸水用の繊維集合層は設けられない。これにより、吸収コア２２の薄型化を図ることができ、衣類を身につけた着用者の外見において、当該着用者が軽失禁パッド１を着用していることを判りにくくすることができる。また、着用者において、男性器の周囲に軽失禁パッド１による違和感が生じることを抑制することができる。
【００４９】
前方端部１１の両側部が、吸収コア２２の不存在領域であることにより、当該両側部が嵩高い、または、ごわついた状態となることを防止して、着用者の外見において、軽失禁パッド１を着用していることをさらに判りにくくすることができる。また、後述するように、吸収コア２２の高吸収性材料２２４が、着用者により排泄された尿を吸収して膨潤した状態であっても、着用者の下腹部への、膨潤した吸収コア２２による圧迫を抑制することができる。
【００５０】
軽失禁パッド１では、包装袋９１に収容する際における、一方の折曲線Ｆ１が前方部１１０に設けられ、当該折曲線Ｆ１において軽失禁パッド１がバックシート２３側に突出するように癖付けされている。したがって、着用者が軽失禁パッド１を着用した状態において、着用者の男性器に対向する本体部２の部位が、着用者とは反対側に突出する。これにより、着用者において、男性器の周囲に軽失禁パッド１による違和感が生じることをさらに抑制することができる。シート積層体２０では、幅方向における股下端部１２の幅が、前方端部１１の幅よりも小さいことにより、着用者において、股間部に軽失禁パッド１による違和感が生じることを抑制することができる。
【００５１】
着用者の男性器から尿が排泄されると、当該尿は、原則として前方部１１０において受けられ、トップシート２１を通過して吸収コア２２に到達する。尿は、複数の材料存在領域２２５の高吸収性材料２２４により吸収され、高吸収性材料２２４が膨潤する。このとき、尿は、材料不存在領域２２６を介して長手方向にある程度拡散するため、前方部１１０における広範囲の高吸収性材料２２４を尿の吸収に利用することができる。
【００５２】
ある程度の量の尿が着用者により排泄されて、前方部１１０の高吸収性材料２２４が膨潤した後には、互いに隣接する材料存在領域２２５の間の材料不存在領域２２６において長手方向に延びる溝部が形成される。その後、着用者により尿がさらに排泄される場合に、当該尿は、当該溝部を介して長手方向に（主として、股下端部１２側に）効率よく拡散され、軽失禁パッド１における広範囲の高吸収性材料２２４を尿の吸収に利用することができる（材料低密度領域が設けられる場合において同様）。
【００５３】
軽失禁パッド１では、長手方向における前方端部１１と股下端部１２との間の所定位置において、非吸収性領域２０１の幅が最大となる。したがって、軽失禁パッド１の使用後には、着用者（または介護者）が、当該所定位置において非吸収性領域２０１を摘まんで（尿を含む吸収コア２２や吸水紙２４の部分を摘まむことなく）、軽失禁パッド１を下着から容易に取り外すことができる。なお、吸水紙２４の側縁に沿って非吸収性領域２０１をトップシート２１側へと曲げることにより、非吸収性領域２０１を簡易的な側壁部として利用することも可能である。
【００５４】
軽失禁パッド１では、吸水紙２４を省略することも可能である。この場合、前方端部１１の両側部における吸収コア２２の不存在領域の部位が、サイドシート本体３１、トップシート２１およびバックシート２３のみにより形成される。その結果、当該部位の剛性が低くなり、当該部位が不必要に折れ曲がることにより、着用者において違和感が生じる可能性がある。
【００５５】
一方、好ましい軽失禁パッド１では、吸収コア２２とバックシート２３との間に吸水紙２４が設けられ、前方端部１１の両側部における吸収コア２２の不存在領域に、吸水紙２４の一部が重なる。これにより、前方端部１１の各側部において、ある程度の剛性を確保することができ、前方端部１１を幅方向に適切に広げた状態を維持することができる。その結果、当該領域の部位の折れ曲がりにより着用者において違和感が生じることを抑制することができる。
【００５６】
上記軽失禁パッド１では様々な変形が可能である。
【００５７】
図６に示すように、吸収コア２２において、複数の吸収シート２２０が重ねて設けられる領域Ａ１と、領域Ａ１よりも少ない個数の吸収シート２２０が設けられる領域Ａ２とが設定されてもよい。好ましくは、領域Ａ１は、シート積層体２０の前方部１１０と重なり、領域Ａ２は、シート積層体２０の他の部位と重なる。このように、大きな吸収量が求められる前方部１１０においてのみ、他の部位よりも多くの吸収シート２２０を重ねることにより、軽失禁パッド１の製造コストを削減することができる。
【００５８】
軽失禁パッド１の設計によっては、吸収コア２２が矩形以外の形状であってもよい。また、軽失禁パッド１において求められる尿の吸収量によっては、前方部１１０のみに吸収コア２２が設けられてもよい。吸収シート２２０において、材料存在領域２２５のパターンは適宜変更されてよい。
【００５９】
図７に示すように、軽失禁パッド１では、一対のサイドシート３の構造が変更されてもよい。図７の軽失禁パッド１では、折曲線３９（図２参照）でのサイドシート本体３１の折り曲げが省略される。また、側壁端部３４１の形成に係る側壁部３４の２つ折りも省略され、側壁端部３４１に対応するサイドシート本体３１の部位が、延びた状態で本体部２に接合される。サイドシート本体３１では、上記部位および側壁固定部３３が、外側縁部３５として本体部２に接合される。本体部２の周縁部２９を「本体周縁部２９」と呼ぶと、幅方向における本体周縁部２９の片側の部位に、各サイドシート本体３１の外側縁部３５が接合される。図７では、外側縁部３５に対して、平行斜線（後述の接合部３６１よりも間隔が広い平行斜線）を付している。
【００６０】
各サイドシート本体３１の周縁部のうち外側縁部３５を除く部位３６を「内側縁部３６」と呼ぶと、一対のサイドシート本体３１の内側縁部３６は、長手方向に沿って互いに重なる。これらの内側縁部３６のうち、前方部１１０と重なる部位は、互いに非接合であり、これらの部位の間に開口部３８が形成される。内側縁部３６のうち残りの部位は、接合部３６１として互いに接合され、一対のサイドシート本体３１と本体部２との間に袋状部３７が形成される。図７では、接合部３６１に対して、外側縁部３５よりも間隔が狭い平行斜線を付している。
【００６１】
上記構造により、本体部２のトップシート２１側の面を覆うカバー部３０が、一対のサイドシート３により実現される。カバー部３０では、長手方向における一方側の部位（前方端部１１側の部位）に開口部３８が形成され、他方側の部位（股下端部１２側の部位）に袋状部３７が形成される。図７の軽失禁パッド１では、開口部３８に男性器を挿入することにより、排泄された尿の軽失禁パッド１外への漏れを防止することができる。また、多量の尿が排泄された場合でも、袋状部３７により当該尿が保持されることにより、尿が着用者側に戻ることを防止することができる。カバー部３０における開口部３８の位置および形状は、任意に変更されてよい。
【００６２】
上記実施の形態および各変形例における構成は、相互に矛盾しない限り適宜組み合わされてよい。
【符号の説明】
【００６３】
１    男性用軽失禁パッド
１１    前方端部
１２    股下端部
２０    シート積層体
２１    トップシート
２２    吸収コア
２３    バックシート
２４    吸水紙
９１    包装袋
１１０    前方部
２０１    非吸収性領域
２２１    上層シート
２２２    下層シート
２２３    高吸収性材料層
２２４    高吸収性材料
Ｆ１，Ｆ２    （男性用軽失禁パッドの）折曲線
【図１】
2018114004.tif 000003
【図２】
2018114004.tif 000004
【図３】
2018114004.tif 000005
【図４】
2018114004.tif 000006
【図５】
2018114004.tif 000007
【図６】
2018114004.tif 000008
【図７】
2018114004.tif 000009